(57)【要約】  【目的】  本発明は、吊り戸が閉鎖された状態であっても、子扉を閉鎖する事ができる子扉付き吊り戸装置に関するものであり、従来、子扉を閉鎖した後、吊り戸を閉鎖する構成となっていたものを、吊り戸が閉鎖した状態であっても、子扉を閉鎖可能とするすることにより、破損及び故障の発生が皆無な子扉付き吊り戸を提供することを目的とする。    【構成】  自閉機能を有する吊り戸と、吊り戸側の端部を自由端とする回動式の子扉で出入口を閉鎖するようにした子扉付き吊り戸装置において、子扉の閉鎖運動に所定位置から連動して、閉鎖した吊り戸を吊り戸の自閉力に抗して所定位置まで開放させる開放力を付与し、子扉が閉鎖された時、前記開放力を解除する強制開放手段を有しているものである。【選択図】    図８
2005240333.tif 000002
【特許請求の範囲】
【請求項１】
自閉機能を有する吊り戸と、吊り戸側の端部を自由端とする回動式の子扉で出入口を閉鎖するようにした子扉付き吊り戸装置において、子扉の閉鎖運動に所定位置から連動して、閉鎖した吊り戸を吊り戸の自閉力に抗して所定位置まで開放させる開放力を付与し、子扉が閉鎖された時、前記開放力を解除する強制開放手段を有している事を特徴とする子扉付き吊り戸装置。
【請求項２】
強制開放手段は、子扉が所定位置まで閉鎖した状態から子扉と共に回動し、常に子扉の開放方向に回動するよう付勢された回動体と、回動体の回動運動を吊り戸の開放方向への直線運動に変換する運動変換部と、直線運動を伝達し、吊り戸を閉鎖位置から所定位置まで開放させる開放力伝達体より構成されていることを特徴とする請求項1に記載の子扉付き吊り戸装置。
【請求項３】
強制開放手段は、子扉が所定位置まで閉鎖した状態から子扉の閉鎖方向とは逆方向に吊り戸側端部が回動し、常に吊り戸側端部が子扉の閉鎖方向に回動するよう付勢された回動案内体と、回動案内体の回動運動を吊り戸の開放方向への直線運動に変換する開放案内体からなり、開放案内体は吊り戸の戸先側端部に設けられていることを特徴とする請求項１に記載の子扉付き吊り戸装置。
【発明の詳細な説明】
【技術分野】
【０００１】
本発明は、吊り戸が閉鎖された状態であっても、子扉を閉鎖する事ができる子扉付き吊り戸装置に関するものである。
【背景技術】
【０００２】
吊り戸を左右方向に開閉して通常の出入に使用し、巾の広い物品等を搬出入するときは
、吊り戸の閉鎖側端部に回動自在に配設した子扉も開放し、開口部を広げて使用される子扉付き吊り戸装置は、開口部を完全に閉鎖する為、子扉を閉鎖した後、吊り戸を閉鎖する構成としている。
特に、火災発生時の延焼を防ぐため、吊り戸も子扉も自閉機能を有し、開口部を自閉するようにしたもの（防火戸）では、吊り戸（引き戸）は締め切り位置から一定距離だけ離間させた状態で自閉を停止させるための移動規制手段と、該移動規制手段の規制姿勢を子扉（回動扉）の閉鎖運動によって解除するための作動手段をそなえたものがある。（例えば、特許文献１参照。）
【０００３】
この場合、子扉（回動扉）が閉鎖していない状態では、吊り戸（引き戸）は移動規制手段に当接して閉鎖途中位置で停止している。
すなわち、子扉（回動扉）が完全に閉鎖していない状態では、自閉する吊り戸（引き戸）は移動規制手段に衝突して停止するため、移動規制手段に衝撃的に余分な負荷が加わることとなり、破損、あるいは故障（初期の目的通りに作動しない）の原因となっていた。
【０００４】
【特許文献１】特開２００１−１６４８３１号公報
【発明の開示】
【発明が解決しようとする課題】
【０００５】
本発明は、従来、子扉を閉鎖した後、吊り戸を閉鎖する構成となっていたものを、吊り戸が閉鎖した状態であっても、子扉を閉鎖可能とすることにより、破損及び故障の発生が皆無な子扉付き吊り戸を提供することを課題とする。
【課題を解決するための手段】
【０００６】
そこで、上記課題を解決する為、本発明が第１の手段として構成したところは、自閉機能を有する吊り戸と、吊り戸側の端部を自由端とする回動式の子扉で出入口を閉鎖するようにした子扉付き吊り戸装置において、子扉の閉鎖運動に所定位置から連動して、閉鎖した吊り戸を吊り戸の自閉力に抗して所定位置まで開放させる開放力を付与し、子扉が閉鎖された時、前記開放力を解除する強制開放手段を有しているものである。
【０００７】
次に、本発明が第２の手段として構成したところは、第１の手段としての構成に加え、強制開放手段は、子扉が所定位置まで閉鎖した状態から子扉と共に回動し、常に子扉の開放方向に回動するよう付勢された回動体と、回動体の回動運動を吊り戸の開放方向への直線運動に変換する運動変換部と、直線運動を伝達し、吊り戸を閉鎖位置から所定位置まで開放させる開放力伝達体より構成されているものである。
【０００８】
次に、本発明が第３の手段として構成したところは、第１の手段としての構成に加え、強制開放手段は、子扉が所定位置まで閉鎖した状態から子扉の閉鎖方向とは逆方向に吊り戸側端部が回動し、常に吊り戸側端部が子扉の閉鎖方向に回動するよう付勢された回動案内体と、回動案内体の回動運動を吊り戸の開放方向への直線運動に変換する開放案内体からなり、開放案内体は吊り戸の戸先側端部に設けられているものである。
【発明の効果】
【０００９】
請求項１に記載の発明によると、子扉が完全に閉鎖していなくても、吊り戸は通常使用の閉鎖位置まで閉鎖して停止するので、強制開放手段に吊り戸の自閉力が衝撃的に負荷されることがなく、強制開放手段の破損、故障は皆無である。
【００１０】
請求項２に記載の発明によると、前記効果に加え、強制開放手段は、回動体と運動変換部と開放力伝達体よりなる簡単な構成であるから安価に製作でき、故障の要因も少ない。
【００１１】
請求項３に記載の発明によると、請求項１に記載の発明の効果に加え、強制開放手段は、回動案内体と、開放案内体よりなる簡単な構成であるから、部材点数も少なく、安価に製作でき、故障の要因も少ない。
【発明を実施するための最良の形態】
【００１２】
本発明は、自閉機能を有する吊り戸と、吊り戸側の端部を自由端とする回動式の子扉で出入口を閉鎖するようにした子扉付き吊り戸装置において、子扉の閉鎖運動に所定位置から連動して、吊り戸の自閉力に抗して閉鎖した吊り戸を所定位置まで開放させる開放力を付与し、子扉が閉鎖された時、前記開放力を解除する強制開放手段を有しているもので
強制開放手段は、子扉が所定位置まで閉鎖した状態で、子扉と共に回動し、常に子扉の開放方向に回動するよう付勢された回動体と、回動体の回動運動を吊り戸の開閉方向への直線運動に変換する運動変換部と、直線運動を伝達し、吊り戸を閉鎖位置から所定位置まで開放させる開放力伝達体より構成されているものである。
【実施例１】
【００１３】
以下、第１実施例を添付図面、図1〜図１５に基づいて詳述する。
図１〜図４において、符号１は吊り戸枠を示している。
吊り戸枠１は、建物側の鉄骨１０１・・・にブラケット１０２・・・を介して所定間隔を有して固定され、下端部が床面仕上げ時に床面に埋め込まれて立設された戸尻側縦枠１１と戸先側縦枠１２と、戸尻側縦枠１１と戸先側縦枠１２の上端間に配設され、建物側の鉄骨１０１にブラケット１０２を介して固定された上枠１３より門形に形成されている。
【００１４】
符号１４は扉支持枠を示している。
扉支持枠１４は、図３、図５に示す如く、固定枠１４１と、該固定枠１４１の内部で室内側内部に設けられたレール取付枠１４２と、固定枠１４１の戸先側縦枠１２及び戸尻側縦枠１１側の両端面に溶接された固定座（図示せず。）より構成されており、レール取付枠１４２の室内側下方隅部が開口し、内部にスライドレール２が取付けられている。
すなわち、戸先側縦枠１２及び戸尻側縦枠１１の両端面内面にもうけられた連結座１４０、１４０と、固定座と、固定用ボルト１４５、１４５にて、戸尻側縦枠１１と戸先側縦枠１２の上部間に扉支持枠１４が高さ調節可能に連結され、スライドレール２に吊り受金具５０を介して、吊り戸５が吊り下げられ、吊り戸５の下部は、後記する中枠４、４間の床面に配設された吊り戸用ガイドローラー１８０に嵌合して前後方向への振れ止めがなされている。
【００１５】
スライドレール２は、図５に示す如く、スライド装置２１と、アルミの押出材より形成された、スライド装置２１の補強材２０が一体に連結されて構成されている。
そして、その開閉方向の長さは、吊り戸５の移動距離よりやや長めに形成され、レール取付枠１４２のレール取付面１４３の室内側にネジ止めにて着脱自在に取付られている。
実施例の場合は、吊り戸５の内部に昇降可能に錘５１を配設し、ワイヤー５２の一端を錘５１に連結し、扉５の戸尻側端部上面に設けた滑車５３を介して、他端を扉支持枠１４の戸先側に固定する事により、吊り戸５の開放にともなって錘５１が上昇し、自重によって錘５１が下降することで、吊り戸５に自閉機能を持たせているが、スライドレール２を戸先側が前下がりとなるよう取付けて自閉機能を持たせることも可能である。
【００１６】
スライド装置２１は、補強材２０の室内側に保持される断面略Ｃ字形のアウターメンバー２２と、アウターメンバー２２にボールリテーナー２３に保持された複数個のボール２４・・・を介してスライド自在に保持される断面略Ｃ字形のインナーメンバー２５より構成されており、補強材２０とアウターメンバー２２は吊り戸５の移動距離よりやや長めに形成され、インナーメンバー２５は吊り戸５の開閉方向の幅よりやや小さ目に形成され、ボールリテーナー２３はインナーメンバー２５より２倍強の幅に形成されている。
【００１７】
符号５０は、インナーメンバー２５の室内側に固着された吊り受金具を示している。
吊り受金具５０は、吊り戸５の開閉方向に所定間隔を有して下端部をＵ字型となした複数個の吊り受部５０１を有し、吊り戸５の上端面に設けられた吊り金具５０２の上端部に形成された逆Ｕ字型の吊り部５０３を、吊り受部５０１の開閉方向側に位置させ、吊り受部５０１と吊り部５０３内に取付ピン５００を貫通させて、吊り受金具５０に吊り戸５を吊り下げている。
【００１８】
符号４、４は、戸尻側縦枠１１と戸先側縦枠１２間で、上端が上枠１３の室内外側の両面に固定され、下端部が床面に埋め込まれて前後方向に所定間隔を有して配設された中枠を示している。
以下、戸尻側縦枠１１と中枠４、４間側を吊り戸収納側、戸先側縦枠１２と中枠４、４間側を出入口側と云う。
そして、戸先側縦枠１２の出入口側内面には子扉用縦枠６１が取付けられ、さらに、吊り戸５の開閉方向に所定間隔を有して上端が扉支持枠１４に連結される連結固定座６３、６３を上面に設けた子扉用上枠６２が、子扉用縦枠６１の上端に出入口側方向に突出して取付られている。
【００１９】
そして、子扉用縦枠６１に回動用蝶番６０・・・が着脱自在に取付けられ、回動用蝶番６０・・・を介して、子扉６が室内側に回動自在に支持され、子扉６が開放された状態では、自閉する吊り戸５の戸先側端面の上下方向に形成された嵌合突条５４が、子扉用上枠６２の吊り戸５側端部に形成された嵌入用切り欠き６２２に嵌入し、戸先側端面が子扉用上枠６２の吊り戸５側端部に当接して閉鎖状態となり、子扉６が閉鎖された状態では、嵌合突条５４が、子扉６の吊り戸５側の端面の上下方向に形成された嵌合凹部６５に嵌合、当接して閉鎖状態となる。
尚、実施例は、防火戸として機能することを前提としているので、子扉６はドアーチェック６０１による自閉機能を有しており、吊り戸５及び子扉６は開放されていても、火災が発生すると、吊り戸５、子扉６とも直ちに自閉する。
この時、吊り戸５が子扉6よりも先に閉鎖してしまい、子扉６が吊り戸５の戸先側の室内側端面に当接してしまって完全に閉鎖しない場合があるので、後記する強制開放手段７が必要となる。
符号６５１は、吊り戸５の閉鎖時の緩衝機能をかねる嵌合凹部６５内に設けられたテープ状の加熱発泡剤を示し、符号６４は連結固定座６３、６３を連結する補強用連結板を示し、符号７は強制開放手段を示している。
【００２０】
符号７０は、扉支持枠１４と、吊り戸５の上部と、子扉用上枠６２の上部を隠蔽して美観の向上を図ると共に、メンテナンスのため、室内側の出入口側上部に着脱自在に取付られた点検パネルを示している。
符号７００は（図６に示す。）、扉支持枠１４と、子扉６と吊り戸５の上部を隠蔽するとともに、内装仕上げのための化粧パネル１００を貼り付けるため室外側の出入口側上部に取付られたランマ下地パネルを示している。
【００２１】
そして、上記吊り戸枠１、スライドレール２が取付けられた扉支持枠１４、中枠４、４、中枠４、４と戸尻側縦枠１１間に配設される下地パネル（図示せず。）・・・、ランマ下地パネル７００、吊り戸用ガイドローラー１８０、子扉用縦枠６１、子扉用上枠６２、点検パネル７０が所定の位置に取付けられた後、化粧パネル１００・・・の貼りつけ等の建物内の内装工事が行われ、その後、点検パネル７０を取り外して、吊り戸５、子扉６、強制開放手段７を組み込んで開閉調整と床面及び戸先側縦枠１２との隙間調節等、各部の微調整が行われ、最後に点検パネル７０が再び取付けられる。
【００２２】
第１実施例の強制開放手段７は、子扉６が所定位置まで閉鎖した状態から、子扉６の閉鎖方向への回動によって回動し、常に子扉６の開放方向に回動するよう付勢された回動体８と、回動体８の回動運動を吊り戸５の開放方向への直線運動に変換する運動変換部８０と、直線運動を伝達し、吊り戸５を閉鎖位置から所定位置まで開放させる開放力伝達体９より構成されている。
【００２３】
回動体８は、連結固定座６３の内面に取付けられた回動体保持座８１に枢軸８２を介して水平方向に回動自在に連結され、一端が回動体８の室内側に設けたバネ支持体８３に支持され、他端が回動体保持部８１に支持されて枢軸８２に取付けられた巻きバネ８４にて常に子扉６の開放方向に回動するよう付勢され、下端部には、子扉用上枠６２の子扉６の回動中心（蝶番６０）寄りに形成された回動用切り欠き６２１から子扉上枠６２の下方に突出する回動規制軸８５がもうけられ、回動用切り欠き６２１の室内側端部に回動規制軸８５を当接する所定角度まで回動した位置で停止している。
そして、上記停止姿勢で、室外側方向でやや子扉縦枠６１側に傾斜する第１案内傾斜面８６と、第１案内傾斜面８６の室外側端部で、ほぼ１２０度の内角をもって子扉縦枠６１側に突出する第２案内傾斜面８７と、第１案内傾斜面８６の室内側端部でほぼ７５度の内角をもって、子扉縦枠６１側に突出する第３案内傾斜面８８を有する傾斜案内部８９が回動体８の上部で吊り戸５側に位置して設けられている。
【００２４】
開放力伝達体９は、前記傾斜案内部８９に対応して位置するローラー体９１と、ローラー体９１を回転自在に保持し、吊り戸５側の連結固定座６３及び子扉用上枠６２の吊り戸５側端部に形成された支持突壁６６に貫挿し、スライド支持部材９２、９２を介して、吊り戸５の開閉方向に摺動可能に保持されたスライドロッド９３と、スライドロッド９３の吊り戸５側端部に設けられたＬ字型の押し板９４より構成されている。
そして、回動体８の回動運動をスライドロッド９３の吊り戸５の開放方向への直線運動に変換する運動変換部８０は、第１案内傾斜面８６とのローラー体９１によって構成される。
【００２５】
すなわち、ローラー体９１の周端面に接触しながら第１案内傾斜面８６が回動するので
、スライドロッド９３（押し板９４）は閉鎖した吊り戸５の戸先側端面上部を開放方向（戸尻側縦枠１１方向）に押しやる。
尚、実施例では、運動変換部８０を傾斜案内部８９とローラー体９１より構成しているが、回動体８の吊り戸５側先端に傾斜案内部８９に代わって回転自在にローラー体９１と同様のローラー体を設けたり、あるいはスライドロッド９３の先端にローラー体９１にかわって、傾斜案内部８９に対応する傾斜面を設けたりしても良い。
【００２６】
本発明の第１実施例は上記の如く構成されているので、子扉６が開放され、吊り戸５が子扉用上枠６２の吊り戸５側端部に当接して閉鎖された状態（この状態で開放力伝達体９の押し板９４は吊り戸５の閉鎖側端面に接触している。図９に示す状態、）で、回動体８は巻きバネ８４の弾発力によって、室内側に回動し、回動規制軸８５が回動用切り欠き６２１の室内側端部に当接して停止し、回動規制軸８５が子扉用上枠６２の下方に突出した状態となっている。
そして、この時、開放力伝達体９のローラー体９１の子扉用縦枠６１側の周端部は回動体８の傾斜案内部８９の吊り戸５側の端部より子扉用縦枠６１側に位置している。
【００２７】
上記の状態から子扉６を閉鎖していくと、子扉６が所定位置まで閉鎖したとき、蝶番６０・・・よりの子扉６の室外側面の上部が、子扉用上枠６２の下方に突出した回動規制軸８５に当接する。（図１０に示す状態）
さらに、子扉６が閉鎖していくと、子扉６の回動によって、回動体８は枢軸８２を回動中心として、傾斜案内部８９が室外側方向に移動し、子扉６がほぼ閉鎖位置まで回動した状態で第一案内傾斜面８６によって、ローラー体９１（開放力伝達体９）を吊り戸５側に押しやり、閉鎖状態の吊り戸５を所定位置まで開放させる。（図１１に示す状態）
そして、子扉６がさらに回動し、第一案内傾斜面８６と第３案内傾斜面８８が交差する角部がローラー体９１の回転中心より室外側に位置した時から、吊り戸５は自閉力によって閉鎖方向に移動し、ほぼ同時に子扉６は完全に閉鎖姿勢となり、子扉６の嵌合凹部６５に吊り戸５の嵌合突条５４が嵌合、当接して閉鎖状態となる。（図８に示す状態）
【００２８】
一方、子扉６と吊り戸５が閉鎖された状態（図８に示す状態。）から吊り戸５を開放し、吊り戸５の開放姿勢を維持した状態で子扉６を開放すると、回動体８は巻きバネ８４によって子扉６の開放方向方向に回動するよう付勢されているので、子扉６の開放方向への回動に伴って回動体８も回動し、第３傾斜面８８がローラー体９１（開放力伝達体９）を吊り戸５の開放方向に移動させ、一方で回動規制軸８５が回動用切り欠き６２１の室内側端部に当接して回動体８の回動は停止し、傾斜案内部８９はローラー体９１の室内側に位置した状態に維持される。（図１３に示す状態）
【００２９】
第２実施例を添付図面、図１６〜図２０に基づいて詳述する。
第２実施例の強制開放手段７は、子扉６が所定位置まで閉鎖した状態から、子扉６の閉鎖方向への回動によって回動し、吊り戸５側端部が常に子扉６の閉鎖方向に回動するよう付勢された回動案内体４１と、回動案内体４１の回動運動によって、吊り戸５を開放方向へ移動させる開放案内体４０より構成されている。
【００３０】
回動案内体４１は、吊り戸５側端部には回転自在に回転ローラー４２が取付られ、戸先側縦枠１２側の下面には回動案内体保持部４６が取付けられている。
回動案内体４１の戸先側縦枠１２側の端部には、子扉用上枠６２の子扉６の回動中心（蝶番６０）寄りに形成された回動用切り欠き６２１から子扉用上枠６２の下方に突出する回動規制軸４５が設けられ、連結固定座６３の内面に取付けられた回動用連結座４３に枢軸４７を介して水平方向に回動自在に連結されている。
そして、枢軸４７には、一端が回動用連結座４３に支持され、他端が回動案内体保持部４６に支持された巻きバネ４８が取付けられ、回動案内体４１の吊り戸５側端部が常に子扉６の開放方向に回動するよう付勢され、回動用切り欠き６２１の室内側端部に回動規制軸４５が当接して所定角度まで回動した位置で停止している。
【００３１】
一方、開放案内体４０は、吊り戸５の戸先側端面上部で前記回転ローラー４２が対応する位置で、室外側から室内側方向に傾斜して戸先側縦枠１２方向に突出する傾斜案内面４０１と、傾斜案内面４０１の室内側端部から内角が約７５度をもって、戸尻側縦枠１１方向に突出する室内側傾斜面４０２より構成されている。
【００３２】
本発明の第２実施例は上記の如く構成されているので、子扉６が開放され、吊り戸５が子扉用上枠６２の吊り戸５側端部に当接して閉鎖された状態で、回動案内体４１は巻きバネ４８の弾発力によって吊り戸５側端部が室外側に回動し、回動規制軸４５が回動用切り欠き６２１の室内側端部に当接して停止し、回動規制軸４５の下端部が子扉用上枠６２の下方に突出した状態となっている。
そして、この時、回動案内体４１の回転ローラー４２は傾斜案内面４０１の室外側に位置している。
【００３３】
上記の状態から子扉６を閉鎖していくと、子扉６が所定位置まで閉鎖したとき、蝶番６０・・・寄りの子扉６の室外側面の上部が、子扉用上枠６２の下方に突出した回動規制軸４５に当接する。（図１８に示す状態）
さらに、子扉６が閉鎖していくと、子扉６の回動によって、回動案内体４１は枢軸４７を回動中心として、回転ローラー４２が室内側方向に移動し、子扉６がほぼ閉鎖位置まで回動した状態で、回転ローラー４２が傾斜案内傾斜面４０１によって、開放案内体４０（吊り戸５）を戸尻側縦枠１１方向に押しやり、閉鎖状態の吊り戸５を所定位置まで開放させる。（図１９に示す状態）
そして、子扉６がさらに回動し、回転ローラー４２の回転中心が、傾斜案内面４０１と室内側傾斜面４０２が交差する角部より室内側に位置した時から、吊り戸５は自閉力によって閉鎖方向に移動し、ほぼ同時に子扉６は完全に閉鎖姿勢となり、子扉６の嵌合凹部６５に吊り戸５の嵌合突条５４が嵌合、当接して閉鎖状態となる。（図１７示す状態）
【００３４】
一方、子扉６と吊り戸５が閉鎖された状態（図１７に示す状態）から吊り戸５を開放し、吊り戸５の開放姿勢を維持した状態で子扉６を開放すると、回動案内体４１の吊り戸側端部は巻きバネ４８によって子扉６の閉鎖方向に回動するよう付勢されているので、子扉６の開放方向への回動に伴って回動案内体４１も回動し、回動規制軸４５が回動用切り欠き６２１の室内側端部に当接して回動案内体４１の回動は停止し、回転ローラー４２は開放案内体４０の室外側に位置した状態に維持される。
【図面の簡単な説明】
【００３５】
【図１】本発明の子扉付き吊り戸装置の正面図
【図２】点検パネルを外した状態の本発明の第１実施例の吊り戸装置の要部正面図
【図３】図１のＡ−Ａ線要部拡大断面図
【図４】図１のＢ−Ｂ線要部拡大断面図
【図５】スライドレール部分の要部拡大断面図
【図６】第１実施例の強制開放手段が位置する部分の拡大正面図
【図７】図６のＣ−Ｃ線拡大断面図
【図８】図６のＤ−Ｄ線拡大断面図
【図９】子扉開放時の第１実施例の強制開放手段の動作状態を示す説明図
【図１０】閉鎖中の子扉が最初に回動規制軸に接触した時の第１実施例の強制開放手段の動作状態を示す説明図
【図１１】第１実施例の閉鎖中の子扉が回動体を回動させて開放力伝達体が最も吊り戸側に移動した状態を示す説明図
【図１２】子扉がほぼ閉鎖した時の第１実施例の強制開放手段の動作状態を示す説明図
【図１３】吊り戸と子扉が開放した時の第１実施例の強制開放手段の動作状態を示す説明図
【図１４】回動体の斜視図
【図１５】開放力伝達体の斜視図
【図１６】第２実施例の強制開放手段が位置する部分の拡大正面図
【図１７】図１６のＥ−Ｅ線拡大断面図
【図１８】子扉が開放した時の第２実施例の強制開放手段の動作状態を示す説明図
【図１９】子扉がほぼ閉鎖した時の第２実施例の強制開放手段の動作状態を示す説明図
【図２０】第２実施例の強制開放手段を示す要部斜視図
【符号の説明】
【００３６】
１            吊り戸枠
１４          扉支持枠
２            スライドレール
４０          開放案内体
４１          回動案内体
５            吊り戸
６            子扉
７            強制開放手段
８            回動体
８０          運動変換部
９            開放力伝達体
【図１】
2005240333.tif 000003
【図２】
2005240333.tif 000004
【図３】
2005240333.tif 000005
【図４】
2005240333.tif 000006
【図５】
2005240333.tif 000007
【図６】
2005240333.tif 000008
【図７】
2005240333.tif 000009
【図８】
2005240333.tif 000010
【図９】
2005240333.tif 000011
【図１０】
2005240333.tif 000012
【図１１】
2005240333.tif 000013
【図１２】
2005240333.tif 000014
【図１３】
2005240333.tif 000015
【図１４】
2005240333.tif 000016
【図１５】
2005240333.tif 000017
【図１６】
2005240333.tif 000018
【図１７】
2005240333.tif 000019
【図１８】
2005240333.tif 000020
【図１９】
2005240333.tif 000021
【図２０】
2005240333.tif 000022